(57)【要約】作物の地下潅漑において、有用な気体の超微粒気泡を与えるよう注入器を使用することは、気体内容物におけるより少ない変化と、より少ない微粒子沈殿の傾向とを有するより均等なストリームの送達という改善点をもたらす。それによって、水の浪費を付随するシステムのフラッシュの必要性が低減される。
2008541720.tif 000002
【特許請求の範囲】
【請求項１】
植物、樹木の栽培、及び造園に対する地下潅漑を与えるシステムであって、
圧力下で水を受け且つ収容するよう適合される、ヘッダーと、
該ヘッダーからの複数の供給ポートと、
管と、
キャビテーションミキサー注入器と、
を有し、
前記管は、前記供給ポートの夫々に対して接続される注入端部と該注入端部から間隔をあけられる排出端部とを有する第１の長さ、及び、注入端部と第２の端部とを有する第２の長さを有し、前記第２の長さの前記第２の端部は、潅漑オペレーション中に閉じられ、フラッシングオペレーション中に開かれ、管状湾曲部は、前記第１の長さの前記排出端部を前記第２の長さの前記注入端部に対して接合し、各長さは、管の内側から管の外側へ流体を通すよう複数のエミッタを直線状の範囲に沿って有し、
前記第１及び第２の長さは、実質的に直線状に位置合わせをされ、直線状の範囲の少なくとも一部分にわたって接合され、実質的に前記直線的な位置合わせを保持し、前記エミッタは、一方の長さ上のエミッタと他方の長さ上の隣接するエミッタとの間の距離が既知であるよう、配列及び配置し、
前記ミキサー注入器は、前記管から上流における前記水へと気体を注入し、前記管に対して供給される水における超微粒気泡の形状において前記気体を与える、
システム。
【請求項２】
前記複数の管は有され、該管の各々は、前記供給ポートの夫々に対して接続される、
請求項１記載のシステム。
【請求項３】
前記ミキサー注入器の１つは、夫々の管の上流及び前記ヘッダーからの下流における各排出ポートに対して接続される、
請求項２記載のシステム。
【請求項４】
前記第１及び第２の長さは、長さに沿った位置において局所的に離され得る、
請求項２記載のシステム。
【請求項５】
前記ミキサー注入器は、前記ヘッダーへと放出する、
請求項１記載のシステム。
【請求項６】
前記ミキサー注入器は、ねじり及び矯正ベーンを有する、
請求項１乃至５のうちいずれか一項記載のシステム。
【請求項７】
前記気体は、空気である、
請求項１乃至６のうちいずれか一項記載のシステム。
【請求項８】
前記気体は、空気、酸素、二酸化炭素、オゾン、燻蒸剤、及びそれらの組合せを有する群から選択される、
請求項１乃至６のうちいずれか一項記載のシステム。
【請求項９】
地下潅漑に対する管であって、
管の第１及び第２の長さを有し、
前記各長さはそれに沿って間隔をあけられたエミッタを有し、管状湾曲部は、前記長さの近接する端部を接合し、それによって前記湾曲部を通る前記第１の長さを介して前記第２の長さへの流体通路を与える、
管。
【請求項１０】
請求項１記載のシステムをフラッシングする方法であって、
第２の長さの前記第２の端部を開放する段階と、前記ミキサー注入器によって与えられる気体の超微粒気泡及び水のストリームを有して前記システムをフラッシングする段階と、を有する、
方法。
【請求項１１】
前記気体は空気である、
請求項１０記載の方法。
【請求項１２】
前記長さは、直線状の範囲の大部分にわたって連続的に接合される、
請求項１記載のシステム。
【請求項１３】
前記エミッタは、前記長さの両方に沿って均等に間隔をあけられる、
請求項１記載のシステム。
【請求項１４】
気体の超微粒気泡を有する水が直線状に延在する管に沿ってエミッタから注入される地下潅漑システムであって、
前記管は、前記管の第１の長さと、前記管の第２の長さとを有し、
前記長さは、互いに対して実質的に直線状に位置合わせをされ、前記各長さは、その直線状の範囲に沿って間隔をあけられたエミッタを有し、該エミッタは、一方の長さ上のエミッタと他方の長さ上の隣接するエミッタとの間の距離が既知であるよう、配列及び配置され、前記管は、管状湾曲部によって夫々の端部において接合され、前記湾曲部を通る前記第１の長さを介して前記第２の長さへの流体通路を与えるようにし、前記湾曲部から最も離れた前記第２の長さの端部は、流れるよう潅漑オペレーション中に閉じられ得、フラッシングオペレーション中に開放され得、前記長さは、前記直線状の位置合わせを実質的に保持するよう直線状の範囲の少なくとも一部分にわたって接合される、
地下潅漑システム。
【請求項１５】
前記長さは、前記長さの局所的分離を可能にする中間ジョインダーによって接合される、
請求項１４記載のシステム。
【請求項１６】
前記長さは、直線状の範囲の大部分にわたって連続的に接合される、
請求項１４記載のシステム。
【請求項１７】
前記エミッタは、前記長さの両方に沿って均等に間隔をあけられる、
請求項１４記載のシステム。
【請求項１８】
キャビテーションミキサー注入器によって注入された気体の超微粒気泡を有する水が直線状に延在する管へと注入され、また地下土壌へと配給するよう前記管から注入される、地下潅漑システムであって、
前記管は、前記管の第１の長さと、前記管の第２の長さとを有し、
前記長さは、管状湾曲部によって夫々の端部において接合され、前記長さは、互いに対して実質的に直線状に位置合わせをされて延在し、流れるよう配給オペレーション中は閉じられ、フラッシングオペレーション中は開放される、前記湾曲部から取り除かれる第２の長さの端部を有し、前記長さは、前記直線状の位置合わせを実質的に保持するよう直線状の範囲の少なくとも一部分にわたって最初は接合され、前記各長さは、その直線状の範囲に沿って間隔をあけられたエミッタを有し、該エミッタは、一方の長さ上のエミッタと他方の長さ上の隣接するエミッタとの間の距離が既知であるよう、配列及び配置される、
地下潅漑システム。
【請求項１９】
前記長さは、直線状の範囲の大部分にわたって連続的に接合される、
請求項１８記載のシステム。
【請求項２０】
前記エミッタは、前記長さの両方に沿って均等に間隔をあけられる、
請求項１８記載のシステム。
【請求項２１】
地下潅漑の方法であって、請求項１８記載のシステムを操作する段階を有し、流れるよう閉じられた前記湾曲部から取り除かれる前記第２の長さの前記端部を有する潅漑オペレーションに対し、前記地下土壌に対して前記水及び気体の超微粒気泡を与えるようにする、
方法。
【請求項２２】
地下潅漑の方法であって、請求項１８記載のシステムを操作する段階を有し、流れるよう開放される前記第２の長さの前記第２の端部を有するフラッシングオペレーションに対し、前記管に対して前記水及び気体の超微粒気泡を与えるようにする、
方法。
【請求項２３】
管の前記第１及び第２の長さは、栽培する植物、樹木の条播又は造園の対向する側部上の土壌において配置される、
請求項１乃至８又は請求項１４乃至２０のうちいずれか一項記載のシステム。
【発明の詳細な説明】
【技術分野】
【０００１】
本発明は、超微粒気泡として懸濁される（ｓｕｓｐｅｎｄｅｄ）気体を含有する水を有する、植物、樹木、及び造園の地下潅漑に係る。該気体は、植物、樹木の栽培、及び造園の助成に対して（ｆｏｒ  ｎｏｕｒｉｓｈｍｅｎｔ  ｏｆ  ｇｒｏｗｉｎｇ  ｐｌａｎｔｓ，  ｔｒｅｅｓ，  ａｎｄ  ｌａｎｄｓｃａｐｅ）あるいは、土壌の処置に対して、有用であり得る。
【背景技術】
【０００２】
溶存酸素、及びミキサー注入器によって水へと注入される空気の超微粒気泡を含有する水を有する作物の地下潅漑は、本願の発明者、Ａｎｇｅｌｏ  Ｌ．  Ｍａｚｚｅｉによる、２００１年１月１６日発行、米国特許第６，１７３，５２６号明細書（特許文献１）において示される。
【０００３】
根が水及び酸素の両方を有することは、根付いた植物、樹木の栽培、及び造園にとっては基本的なことである。通例の酸素の源は、空気である。従来の栽培手順は、地面の表面に対して水を与える。水は、その中になんらかの溶存酸素を有し、根まで運ばれる。これは通常は不十分であり、地面は、次の潅漑又は散水によって根まで運ばれる空気をその構造へと受け入れるよう、乾燥される。これは、周期的なオペレーションであり、農業従事者の収益性は、この目的を達成するよう十分な水及び空気を与えることに大きく依存する。
【０００４】
水の過多は、作物を文字通り溺れさせ得る。水の不足は、作物の立ち枯れ病及び衰弱、又は少なくとも品質及び生産量の低減をもたらす。資源としての真水供給が減少したため、水の浪費は、好ましくなく且つ高価である。
【０００５】
前出の特許文献１（Ｍａｚｚｅｉの特許）中に記載されるシステム及び工程は、地面の表面からの水の浸潤に依存することなく作物の根域に対して直接に酸素を（通常は空気から）供給することによって、状況を改善する。その代わり、当初は極大気圧（ｓｕｐｅｒ−ａｔｍｏｓｐｈｅｒｉｃ  ｐｒｅｓｓｕｒｅ）における酸素を含有する水、及び、水をミキサー注入器（ｍｉｘｅｒ−ｉｎｊｅｃｔｏｒ）に通すことによって生成される超微粒気泡において運ばれる空気は、水の驚くべき安定的なストリーム（ｓｔａｂｌｅ  ｓｔｒｅａｍ）を作る。大変小さな気泡は、水中に溶存する酸素と共に土壌へと注入される。
【０００６】
このストリームは、地下導管（ｓｕｂｓｕｒｆａｃｅ  ｃｏｎｄｕｉｔ）を介して通る。しばしば細流潅漑テープ又は管（本願中は「管（“ｔｕｂｅ”）」）であるこの導管は、地中に埋められる。特徴的な設置において、この導管は、しばしば苺や胡椒等である作物の条播（列、ｒｏｗｓ）に沿って、複数メートル（ヤード）延在する。管は、溶存気体を有する水、及び通常は空気である気体の混入する超微粒気泡を有する水を放出する。故に、正しい量の水、及び正しい量の気体が必要とされる根域において解放され、付随する蒸発（ａｔｔｅｎｄａｎｔ  ｅｖａｐｏｒａｔｉｏｎ）、流出する浪費（ｒｕｎ−ｏｆｆ  ｗａｓｔａｇｅ）、及び他の複雑な事態を伴って表面を冠水する必要はない。
【０００７】
特許文献１中に示されるシステムは、作物の収穫高及び品質における大幅な向上を生み出し、オペレーションに成功している。場合によっては、該システムは、作物の成熟を加速させ、栽培者は早期の市場に供給し得る。早期の市場は、特別な価格に値する。
【０００８】
田畑の最も面倒である部分に対応するよう（ｔｏ  ｓｕｐｐｌｙ  ｔｈｅ  ｍｏｓｔ  ｔｒｏｕｂｌｅｓｏｍｅ  ｐａｒｔｓ  ｏｆ  ａ  ｆｉｅｌｄ  ａｒｅａ）、適度にフィルター処理された水及び空気（及び使用される場合は添加剤）を与えるように農業用又は造園用細流潅漑システムを使用することは、慣習的である。例えば、ある範囲が立ち枯れ病の問題を示す場合、システム全体の供給は、全ての範囲が十分に供給されことを確実にするよう、増大される。これは、既に十分有している領域にとっては過剰供給となることを意味する。
【特許文献１】米国特許第６，１７３，５２６号明細書
【発明の開示】
【発明が解決しようとする課題】
【０００９】
本発明は、導管（ｃｏｎｄｕｉｔｒｙ）の全長にわたってより均等な配給（ｄｉｓｔｒｉｂｕｔｉｏｎ）を与えることによってＭａｚｚｅｉのシステム（特許文献１）を向上させること、及び、放出が位置決めされる植物に対して適切な領域において発生し得るようにすること、を目的とする。
【課題を解決するための手段】
【００１０】
気体の超微粒気泡は、流れるストリームにおける懸濁（ｓｕｓｐｅｎｓｉｏｎ  ｉｎ  ａ  ｆｌｏｗｉｎｇ  ｓｔｒｅａｍ）として運ばれ、ストリームが流れている間、気体が分離又は融合する傾向、又は、フィルターを通過し得たフィルター処理されない細かな粒子（本願中、「微粉（ｆｉｎｅｓ）」）が沈殿する傾向がある。不合理にも（Ｒｅｄｕｃｅｄ  ｔｏ  ａｂｓｕｒｄｉｔｙ）、淀んだストリームはすぐに、混合混入空気（ｍｉｘｅｄ  ｅｎｔｒａｉｎｅｄ  ａｉｒ）を融合させ、不均等又はそれ以下の配給を引き起こし得、水と共に拡散することなく表面まで流れる気体の流れとしての放出をもたらす。微粉が管において沈殿する場合、管は、水を有して定期的に濯がれなければならず、水は浪費される。その結果、気体の利点の大半が失われる。
【００１１】
しかしながら、ストリームが安定的である場合、超微粒気泡の容積が最も高い際に空気が分離する、というより大きな傾向がある。空気は、下流より上流により大きな量が存在する、という傾向がある。
【００１２】
本発明の目的は、導管を与え、該導管において、気体の放出は、プロットの長さにわたって平均する（“ａｖｅｒｇａｅ  ｏｕｔ”）、ことである。
【００１３】
本発明の他の目的は、便利に製造される構造における導管を与えること、及び、関連されるエミッタ及び導管の一部の選択的位置を与えること、である。
【００１４】
本発明の更に他の特性は、融合がより発生し易いヘッダー（ヘッダー管、ｈｅａｄｅｒ）においてではなく、ある程度特定の領域の近くにおいて超微粒気泡を与えること、である。
【００１５】
本発明の他の目的は、燻蒸剤等である他の有利な特性を有する気体を与えること、である。
【００１６】
本発明は、前出の特許文献１（Ｍａｚｚｅｉ特許）中に示されるシステムの改善である。
植物の近くにおける地下土壌に対して圧力を受けて水を供給する細流潅漑システムである。水が地下の導管から解放されるまで、水はシステム圧力下（ｕｎｄｅｒ  ｓｙｓｔｅｍ  ｐｒｅｓｓｕｒｅ）に残る。導管に入る前に、水は、ミキサー注入器を通過する。該ミキサー注入器は、通常は空気である気体の超微粒気泡を入っていくストリームへともたらすが、オゾン又は燻蒸剤等である他の処理気体、及び多種の気体の混合物は、代わりに使用され得る。ミキサー注入器から、ストリームは、その長さに沿ってエミッタを備えられる導管へと流れる。ストリームは、エミッタを通って出て、水は、水中に溶存された気体、及び混入した超微粒気泡を運ぶ。これは、基本的なＭａｚｚｅｉシステムであり、本発明はこれに対する改善である。
【００１７】
本発明によれば、導管は、適切な場所においてかかる流体を放出するよう経路に置かれる。該適切な場所は、個別の植物、茂み、又は樹木の近くであり得るか、あるいは全経路に沿って流体を供給するよう条播に沿って設置され得る。この導管は、第１の前進長さ（ｆｏｒｗａｒｄ  ｌｅｎｇｔｈ）、及び第２の戻り長さ（ｒｅｔｕｒｎ  ｌｅｎｇｔｈ）を有する。これらの長さは、ミキサー注入器から最も離れた範囲において流動的に接合される。かかる配置を有して、長さに沿った放出における差異は、長さが対向して方向付けられるが互いに対して適度に近い際に、平均される。
【００１８】
かかる長さは、別個の導管であり得るか、あるいは、Ｕ字型を形成するよう遠端において湾曲された単一の導管であり得る。
【００１９】
本発明の更に他の望ましいが任意である特性によれば、エミッタは、更に供給を平均するよう長さに沿ってねじれ形（ｓｔａｇｇｅｒｅｄ）又は位置合わせされた位置において間隔を離され得る。
【００２０】
本発明の更に他の任意の目的によれば、導管は、接合されて与えられる際、選択された領域をまたぐよう局所的に離され得る一方で、長さの残りの部分にわたって本発明の利点を享受する。
【００２１】
本発明の更に他の任意の特性によれば、別個の注入器は、各導管に対して与えられ得る。
【００２２】
本発明の上述及び他の特性は、以下の詳細な説明及び添付の図面から完全に理解される。
【発明を実施するための最良の形態】
【００２３】
本発明の目的は、栽培する植物の根域における土壌に対して、水及び酸素、及び／又は他の潜在的に有益な気体の供給、あるいは、特定の作物を植える前に燻蒸剤の供給を与えることである。その使用の現在望ましい例は、細流潅漑におけるものである。該細流潅漑において、図２中に示される通り、植物２０は、表面２２を有する土壌２１において栽培される。作物によっては、プラスチックシート２３（その雑草抵抗能力により「マルチ（根覆い、ｍｕｌｃｈ）」と称される）又は有機マルチは、植物の近くにおける土壌の表面にわたって適用される。このシステムによって供給される水は、通常、本発明に従った管を通って土壌表面の下方約１−２０インチ又はそれより多く（２−５０ｃｍ）に放出される。
【００２４】
図示される通り、細流潅漑管２５は、条播２６に沿って延在する。間を置いて、その壁は、エミッタ６０によって穿刺される（図１，２，３及び４）。エミッタは、単純になんらかの開口であり、該開口を介して水は、指定されたシステム圧力下で規制された速度において、管から土壌領域へと流れる。システム圧力からエミッタにわたって、通常は約１０−２０ｐｓｉｇ（ゲージ圧６９−１４０ＫＰａ）から大気圧まで、圧力は低下する。かかるエミッタは、管に沿って間隔をあけられる。
【００２５】
放出場所における圧力低下は、本発明にとって大きな重要性を有する。その理由は、配給の初めには存在するより高い容積の酸素及び／又は他の気体である。しかしながら、農業用水供給は頻繁に、酸素が十分に飽和されていないため、それ以上の理由がある（ｔｈｅｒｅ  ｉｓ  ｍｏｒｅ  ｔｏ  ｉｔ  ｔｈａｎ  ｔｈａｔ）。本発明では、システム圧力における過飽和が保証され得、余分な酸素（又は他の気体）は、他の有益な気体を有する空気が注入される際に作られる超微粒気泡を有する気体としての追加的な酸素（又は他の気体）を加えて、圧力が低下する際に溶液から解放される。この水のストリームは、気体に大変富んでいる。
【００２６】
井戸、池、又は給水本管等である水源３０は、システム圧力においてポンプ３２によって加圧される水を供給する。水源が本管であり、本管における圧力が適度である場合、ポンプは、不要である。水源からの出力は、従来の弁、レギュレータ、及び適切であり得る他の制御等を有する配給システム３３に対して与えられる。システムは通常、作物の条播２６の先頭に沿って延在するヘッダー３４を有する。ヘッダーから、細流潅漑管２５は、エミッタ６０が位置付けられる条播に沿って、あるいは他の所望の位置に対して延在する。条播における以外の適用は、例えば樹木又は一連の樹木の周囲におけるエミッタの群において、考えられる。
【００２７】
図１中に最もよく示されている通り、管２５は、第１の長さ２５ａ及び第２の長さ２５ｂを与えるよう、それ自体上で曲げ戻され、管状湾曲部２５ｃによって接合され、ストリームがその上流端部２５ｄから下流端部２５ｅに向かって流れるようにする。下流端部２５ｅは、システムがフラッシュされる際を除いては、通常閉じられている。かかる長さは、望ましくは互いに対して平行であるが、これは本発明を制限するものではない。
【００２８】
図１中に概略的に示されるミキサー注入器３５は、所望される選別された水（ｂｅｎｅｆｉｃｉａｔｅｄ  ｗａｔｅｒ）を作る。ミキサー注入器は、圧力下においてポンプからの水を受け、それを配給システムへと送る。その周知の機能は、水のストリームと混合する際に吸引部（ｔｈｒｏａｔ）３５ａへと気体を注入することである。
【００２９】
ヘッダーに対して供給される水に気体を供給する単一の注入器を与えることは可能であるが、各管に対して注入器３５ａを与えるようにする方が更によく、ヘッダーから水を受け、夫々の管へと注入される気体超微粒気泡を有して圧力下で水を送る。このような場合、単一の注入器３５は、省略される。注入器３５ａの各々は、同様に機能するが、夫々の管における水に対してのみである。かかる局所注入器の使用は、空気がヘッダーにおいて融合し得るという懸念を排除する。該使用は、全ての条播においてより均等な作物をもたらす。
【００３０】
望ましい注入器の種類は、図６中の最もよく例示される通り、キャビテーション（ｃａｖｉｔａｔｉｎｇ）型である。該種類は、酸素及び／又は他の気体を有する気体をストリームへと引き込むこと、及び超微粒気泡を作ることによって、水が有する酸素及び／又は他の気体を上昇させる。ミキサー注入器の多くの実施例は、本発明において有用である。しかしながら、図６中に示されるミキサー注入器における増大される乱流及び剪断は、より小さな超微粒気泡を作り、それらを更によく配給する。したがって、ベーンによって与えられる剪断及びねじり力のために、向上されより安定的な混合を与え、結果的に、気体気泡を融合する傾向がある低減された回転力を有する回転流をもたらす。全てのキャビテーションミキサー注入器は、酸素及び／又は他の気体の飽和が得られることを確実にし、また、気泡が大変小さく、これら等のシステムを通る流れにおいて一般的に有されるタイムスパンにおいて水からでる気体を最小限にすることを確実にする。図６中に示される特定なミキサー注入器は、図１中に示される基本形に対してより向上された結果を与える。
【００３１】
ミキサー注入器３５（図６）は、入口ポート３８及び出口ポート３９から延在する流路３７を有するボディ３６を有する。流路を形成する内側壁４０は、入口ポートからこの順番で、円筒形入口部４１、狭窄（ｃｏｎｓｔｒｉｃｔｉｏｎ）部４２及び注入器部４３、及び、出口ポート３９で終了する拡張部４２を有する。
【００３２】
注入ポート４５は、狭窄部の近くにおける注入部に入る。該ポートは、望ましくは、内側壁において円周溝４６として存在し、周囲空気等から流路においてストリームに対して与えられる処理気体を受ける通路４７と連通する。絞り弁５５及び逆止め弁５６（図１）は、正しい量の気体を有する単向性の流れを与えるよう、通路４７において位置付けられる。
【００３３】
ミキサー注入器にわたるバイパス通路５９におけるレギュレータ弁５８（その代わりに流れ制限器であってもよい）を介する流れ及び圧力低下を確立することによって、圧力及び速度を制限することは、便利である。
【００３４】
ねじりベーン４８は、個別の尾根（ｃｒｅｓｔｓ）を有するベーンの群（８枚が最適である）として与えられる。該ベーンは、流路の中心軸５０に沿って延在するため、該ベーンを通る平面に対して鋭角に延在し、また、中心軸を有する。ベーンは、入口部から狭窄部まで上昇する。ベーンは、中心軸に交差しない。ベーンは、ストリームの外側領域に対してねじりを与えるため、注入ポートに交差する際、ストリームの中心「コア」（ねじられていない）と外側部（ねじられている）との合流によって引き起こされる増大された乱流を有する。乱流の増大は、水と処理気体とのより効率的且つより完全な混合、及び超微粒気泡の寸法の低減をもたらし、全てがこの工程にとって有利となる。
【００３５】
これが達成されると、遠心力下で混合する超微粒気泡の傾向を低減させるよう、スピンする構成要素が低減されることは有利である一方、乱れた回転運動を与える。これは、拡張部に沿って延在する矯正ベーン４９の群によって達成される。該ベーンは、望ましくは中心軸と平行である尾根５１を有し、そこから間隔をあけられる。出口ポート３９から、ストリームは、ヘッダー又は管に対して延在する配給システムに入る。
【００３６】
前述された通り、エミッタ６０は、管の長さに沿って間隔をあけられる。エミッタの特徴は、管から心土への水及び超微粒気泡のゆっくりとした流出を与えること、である。かかるエミッタは、周知であり、複数の種類を有する。エミッタは、実際には、ブリード弁を有する。ブリード弁は、そこを通る流体の大変制限された流速を可能にし、管における圧力は実質的に低減されず、内容物はシステムにわたる圧力を受け続ける。
【００３７】
典型的に有用であるエミッタ６０は、細流潅漑管２５の一部として形成されるよう図示される。このエミッタでは、主要な通路６２は、壁６３によって形成される。壁の長手方向エッジ部６４，６５は、重畳されたマージン６７，６８間において制限されたチャネル６６を残すよう重畳される。一連の入口ポート６９は、通路６２からチャネル６６へと形成される。かかるポートは小さく、重畳部に沿って複数の位置において入る。チャネルは更に、内部ダイバータによって、あるいは蛇行性の通路によって、更に制限され得、チャネル６６を介する水の流速を更に低減させる。チャネル６６の一端において、外側重畳部を介するスリット７１は、チャネル６６から大気に水を解放する。
【００３８】
エミッタには、管の壁を通る小さな開口を有する他の種類がある。通路６２から流体の規制された流速を確立することができるエミッタは、許容可能である。
【００３９】
所定の取付けの個人の要求に依存して、長さ２５ａ及び２５ｃは、管の別個の部分であり得るか、別個の溝に置かれ得るか、あるいは、単一の溝において離されて覆われ得る。該長さは、一般的には互いに対して平行であり、通常は、放出の領域が交差してある程度結合する（ｔｏ  ａ  ｄｅｇｒｅｅ  ｃｏｍｂｉｎｅ）よう互いに対して十分に近い。一般的には、長さは、互いに対して大変近く位置付けられる。
【００４０】
供給から離れた端部は、湾曲部２５ｃによって流動的に接続され、継続的な流れが結合された長さを介して発生し得る。
【００４１】
一組の接合された対の管７０，７１（図５）として管を与えることは、しばしば更に便利である。該管は、延在され得るか、接合する織布（ウェブ）７２を有して作られ得るか、あるいは、所望される通り共通壁を有し得る。織布が与えられる場合、織布は、スリットを入れられ得、目標物をまたぐよう、あるいは放出の方向を変えるよう、管の局所的分離を可能にし得る。従来通り、Ｕ字型湾曲管（図示せず）は、結合された長さを介する流れを与えるよう、管の遠隔端部を接合する。
【００４２】
長さに沿ったエミッタの位置は、任意である。一般的には、エミッタ管の既知の間隔が与えられる。長さのエミッタは、互いに対して軸方向に位置合わせされ得るか、所望される場合はねじれ形にされ（ｓｔａｇｇｅｒｅｄ）得るか、あるいは異なった間隔をあけられ得る。対の管が使用される際、超微粒気泡の放射をより正確に平均することを目的として、第２の長さの下流領域におけるよりも第１の長さにおける上流領域において、より制限された放射を与えることは、可能である。
【００４３】
本願中に開示される、ストリームの流れがそれ自体において折り返される「戻り」コンセプトは、長い長さにわたって非常に効率的に水及び空気を供給するよう効果的な手段であることが分かっている。
【００４４】
これはまた、気体／液体混合物の作用により、恒例として、潅漑ラインを定期的にフラッシュするよう必要とされる水の低減をもたらす。この目的に対して、長さ２５ｂの遠位端部は、例えば弁又は取外し可能なプラグによって、開放される。
【００４５】
水源の特性により、細流システムにおいて水をフィルター処理することには、日常的に注意が払われる。これは、目立つ大きな粒子、及び中程度の寸法の粒子まで処理する。依然として、全ての微粒子（「微粉」）を除去し得る実用的なフィールドシステムはないため、定期的にシステムはフラッシュされる。システムがフラッシュされる度に、水は浪費される。しかしながら、それは、管の開放を維持するよう必要なことである。
【００４６】
沈殿は、流速が低い際により早く発生する。微粉が沈殿しなかった場合、その大半は端にエミッタを通り過ぎる。本発明は、更なる乱流を有する流れを高速化することによって状況を改善し、それによって微粉が沈殿する傾向を低減し、エミッタを通過する機会を増大させる。故に、フラッシングの必要はより少なくされる。
【００４７】
図６中に示されるミキサー注入器におけるベーンは、システムの機能を向上させるが、必至であるわけではない。図１は、ベーンを有さない同一の種類のミキサー注入器を概略的に示し、該注入器は、依然として、本発明を有して有用であるストリームの供給を与える。
【００４８】
ヘッダーを供給する単一の大きなミキサー注入器を与えることが有用である一方、一般的には、各管のすぐ前方に個別のミキサー注入器を与えることは、望ましい。かかる適用に対する小さな注入器は、米国カリフォルニア州、ベイカーズフィールド在、Ｍａｚｚｅｉ  Ｉｎｊｅｃｔｏｒ  Ｃｏｒｐｏｒａｔｉｏｎ社から市販されている。ヘッダーから下流におけるミキサー注入器の使用は、ヘッダーにおいて気泡が形成されないため、ヘッダーにおける気泡の融合を排除する。
【００４９】
図示される通り関連付けられる長さにおいて管を与えることは、潅漑における相違を大幅に低減し（ｒｅｄｕｃｅｓ  ｄｉｆｆｅｒｅｎｃｅｓ  ｉｎ  ｉｒｒｉｇａｔｉｏｎ）、フラッシングの必要性が少ないシステムを与える。
【００５０】
本発明は、制限的ではなく例証するよう与えられる図面中に示され且つ明細書中に記載される実施例によって制限されることはなく、添付の請求項の範囲に従って制限されるのみである。
【図面の簡単な説明】
【００５１】
【図１】本発明に従ったシステムの概略的レイアウトである。
【図２】図１中の線２−２における断面図である。
【図３】図１中の管の長さの長手方向断面図である。
【図４】図３中の線４−４における断面図である。
【図５】本発明を有して有用である他の実施例の管の断面図である。
【図６】現在望ましいミキサー注入器の断面図である。
【図７】図６中の線７−７における左手側端面図である。
【図８】図６中の線８−８における右手側端面図である。
【図１】
2008541720.tif 000003
【図２】
2008541720.tif 000004
【図３】
2008541720.tif 000005
【図４】
2008541720.tif 000006
【図５】
2008541720.tif 000007
【図６】
2008541720.tif 000008
【図７】
2008541720.tif 000009
【図８】
2008541720.tif 000010
【国際調査報告】
2008541720.tif 000011